(57)【要約】【課題】首振り動作の動作範囲の端部を設定する際にどの方向の端部にするかを使用者が選択可能な扇風機を得ること。【解決手段】気流を発生させる送風機部８の首振り動作の駆動源である首振り駆動装置２６と、使用者によって操作される操作装置２７と、操作装置２７が受け付けた使用者による操作に基づいて送風機部８及び首振り駆動装置２６を制御する制御装置２５とを有し、操作装置２７は、首振り動作の動作範囲の一方の端部を設定する指示を受け付ける一端部設定ボタンと、首振り動作の動作範囲の他方の端部を設定する指示を受け付ける他端部設定ボタンとを備え、制御装置２５は、首振り動作の動作方向によらず、一端部設定ボタンによって受け付けられた首振り動作の動作範囲の一方の端部又は他端部設定ボタンによって受け付けられた首振り動作の動作範囲の他方の端部を設定する。【選択図】図２
2020193593.tif 000002
【特許請求の範囲】
【請求項１】
気流を発生させる送風機部と、前記送風機部の首振り動作の駆動源である首振り駆動装置と、使用者によって操作される操作装置と、前記操作装置が受け付けた前記使用者よる操作に基づいて前記送風機部及び前記首振り駆動装置を制御する制御装置とを有し、
前記操作装置は、前記首振り動作の動作範囲の設定の開始の指示を受け付ける首振り範囲設定ボタンと、前記首振り動作の動作範囲の一方の端部を設定する指示を受け付ける一端部設定ボタンと、前記首振り動作の動作範囲の他方の端部を設定する指示を受け付ける他端部設定ボタンとを備え、
前記制御装置は、前記操作装置が前記首振り動作の動作範囲の設定の開始の指示を受け付けると前記首振り駆動装置に前記送風機部の首振り動作を行わせ、前記首振り動作の動作方向によらず、前記一端部設定ボタンによって受け付けられた前記首振り動作の動作範囲の一方の端部又は前記他端部設定ボタンによって受け付けられた前記首振り動作の動作範囲の他方の端部を設定することを特徴とする扇風機。
【請求項２】
前記首振り駆動装置は、前記送風機部を左右に前記首振り動作させる左右首振りモータと、前記送風機部を上下に前記首振り動作させる上下首振りモータとを有し、
前記首振り範囲設定ボタンは、左右の前記首振り動作の動作範囲の設定の開始の指示を受け付ける左右首振り範囲設定ボタンと、上下の前記首振り動作の動作範囲の設定の開始の指示を受け付ける上下首振り範囲設定ボタンとを有し、
前記一端部設定ボタン及び前記他端部設定ボタンは、左右の前記首振り動作の動作範囲の左端部を設定する指示を受け付ける左端部設定ボタンと、左右の前記首振り動作の動作範囲の右端部を設定する指示を受け付ける右端部設定ボタンと、上下の前記首振り動作の動作範囲の上端部を設定する指示を受け付ける上端部設定ボタンと、上下の前記首振り動作の動作範囲の下端部を設定する指示を受け付ける下端部設定ボタンとを有することを特徴とする請求項１に記載の扇風機。
【請求項３】
前記制御装置は、前記首振り動作の動作方向の後方の動作範囲の端部が設定されると前記首振り動作を継続し、前記首振り動作の動作方向の前方の動作範囲の端部が設定されると前記首振り動作の動作方向を反転させることを特徴とする請求項１又は２に記載の扇風機。
【請求項４】
前記制御装置は、前記首振り動作の動作範囲の一端部の設定後かつ他端部の設定前は、設定した前記首振り動作の動作範囲の一端部と前記首振り動作の構造上の動作範囲の他端部との間で前記首振り動作を行わせることを特徴とする請求項１から３のいずれか１項に記載の扇風機。
【請求項５】
前記制御装置は、前記首振り動作の動作範囲の設定時の前記首振り動作での首振り速度を、通常の前記首振り動作での首振り速度よりも速くすることを特徴とする請求項１から４のいずれか１項に記載の扇風機。
【請求項６】
前記制御装置は、前記首振り動作の動作範囲の設定時の前記首振り動作を、最大首振り角度で前記首振り駆動装置に開始させることを特徴とする請求項１から５のいずれか１項に記載の扇風機。
【請求項７】
前記制御装置は、前記首振り動作の設定済の動作範囲の端部を記憶する記憶部を備えることを特徴とする請求項１から６のいずれか１項に記載の扇風機。
【請求項８】
前記操作装置は、前記気流の風量を増大させる指示を受け付ける風量上げボタンと、前記気流の風量を減少させる指示を受け付ける風量下げボタンとを有し、
前記風量上げボタンは、前記一端部設定ボタン及び前記他端部設定ボタンの一方を兼ねており、
前記風量下げボタンは、前記一端部設定ボタン及び前記他端部設定ボタンの他方を兼ねており、
前記操作装置は、前記首振り動作の動作範囲の設定時の前記風量上げボタンの押下を前記一端部設定ボタン及び前記他端部設定ボタンの一方の押下として受け付け、前記首振り動作の動作範囲の設定時の前記風量下げボタンの押下を前記一端部設定ボタン及び前記他端部設定ボタンの他方の押下として受け付けることを特徴とする請求項１から７のいずれか１項に記載の扇風機。
【請求項９】
前記操作装置は、使用者が設定した前記首振り動作の動作範囲をリセットする指示を受け付けるリセットボタンを有し、
前記制御装置は、使用者が設定した動作範囲での前記首振り動作中に前記リセットボタンが押下されると、予め定められた動作範囲での前記首振り動作を前記首振り駆動装置に行わせることを特徴とする請求項１から８のいずれか１項に記載の扇風機。
【発明の詳細な説明】
【技術分野】
【０００１】
本発明は、首振り動作機能を備えた扇風機に関する。
【背景技術】
【０００２】
床面、壁面又は天井面に設置される台座部と、気流を発生させる送風機部とを有する扇風機の中には、設定範囲内で送風機部の向きを変えながら気流を発生させる首振り動作機能を備えたものがある。
【０００３】
特許文献１には、使用者が送風機部の首振り動作の範囲を任意に設定可能な扇風機が開示されている。特許文献１に開示される扇風機は、リモートコントローラに首振り動作の動作範囲の設定用のボタンが設けられている。特許文献１に開示される扇風機は、首振り動作中に動作範囲の設定用のボタンが押されると、首振り動作の動作方向側の動作範囲の端が設定される。例えば、送風機部が左方向に首振り動作をしているときに動作範囲の設定用のボタンが押されると、首振り動作の動作範囲の左端が設定される。右及び上下方向の動作範囲についても同様であり、送風機部が右又は上下方向に首振り動作をしているときに動作範囲の設定用のボタンが押されると、首振り動作の動作範囲の右端、上端又は下端が設定される。
【先行技術文献】
【特許文献】
【０００４】
【特許文献１】特許第６２３５４２１号公報
【発明の概要】
【発明が解決しようとする課題】
【０００５】
しかしながら、特許文献１に開示される発明は、送風機部の首振り動作の動作方向側の端しか設定することができない。例えば、送風機部が左方向に首振り動作をしているときに動作範囲の右端を設定することができないため、送風機部が折り返して右方向の首振り動作に変わるのを待ってから動作範囲の右端を設定しなければならない。このように、特許文献１に開示される発明は、首振り動作の動作範囲の端部を設定する際にどの方向の端部にするかを使用者が選択することはできなかった。
【０００６】
本発明は、上記に鑑みてなされたものであって、首振り動作の動作範囲の端部を設定する際にどの方向の端部にするかを使用者が選択可能な扇風機を得ることを目的とする。
【課題を解決するための手段】
【０００７】
上述した課題を解決し、目的を達成するために、本発明は、気流を発生させる送風機部と、送風機部の首振り動作の駆動源である首振り駆動装置と、使用者によって操作される操作装置と、操作装置が受け付けた使用者による操作に基づいて送風機部及び首振り駆動装置を制御する制御装置とを有する。操作装置は、首振り動作の動作範囲の設定の開始の指示を受け付ける首振り範囲設定ボタンと、首振り動作の動作範囲の一方の端部を設定する指示を受け付ける一端部設定ボタンと、首振り動作の動作範囲の他方の端部を設定する指示を受け付ける他端部設定ボタンとを備える。制御装置は、操作装置が首振り動作の動作範囲の設定の開始の指示を受け付けると首振り駆動装置に送風機部の首振り動作を行わせ、首振り動作の動作方向によらず、一端部設定ボタンによって受け付けられた首振り動作の動作範囲の一方の端部又は他端部設定ボタンによって受け付けられた首振り動作の動作範囲の他方の端部を設定する。
【発明の効果】
【０００８】
本発明によれば、首振り動作の動作範囲の端部を設定する際にどの方向の端部にするかを使用者が選択可能な扇風機を得られるという効果を奏する。
【図面の簡単な説明】
【０００９】
【図１】本発明の実施の形態１に係る扇風機の斜視図
【図２】実施の形態１に係る扇風機を模式的に示す図
【図３】実施の形態１に係る扇風機の上面図
【図４】実施の形態１に係る扇風機の本体操作装置を示す図
【図５】実施の形態１に係る扇風機のリモートコントローラの正面図
【図６】実施の形態１に係る扇風機の機能ブロック図
【図７】本発明の実施の形態６に係る扇風機のリモートコントローラの正面図
【図８】実施の形態１から実施の形態６に係る扇風機の制御装置の機能をハードウェアで実現した構成を示す図
【図９】実施の形態１から実施の形態６に係る扇風機の制御装置の機能をソフトウェアで実現した構成を示す図
【発明を実施するための形態】
【００１０】
以下に、本発明の実施の形態に係る扇風機を図面に基づいて詳細に説明する。なお、この実施の形態によりこの発明が限定されるものではない。
【００１１】
実施の形態１．
図１は、本発明の実施の形態１に係る扇風機の斜視図である。図２は、実施の形態１に係る扇風機を模式的に示す図である。扇風機１００は、ファン１と、ファン１を回転させるファンモータ２と、ファン１を保護する保護カバー６と、ファンモータ２を保持するモータハウジング３とを備えた送風機部８を有する。扇風機１００は、送風機部８を支持する支持部材２２と、送風機部８を首振りする首振り動作の駆動源である首振り駆動装置２６と、操作されることにより指令信号を生成する操作装置２７と、扇風機１００を制御する制御装置２５とを備えている。
【００１２】
ファン１は、回転軸ＡＸｆを中心に回転可能である。シャフト部材２ａは、ファン１を回転可能に支持する。ファンモータ２は、回転軸ＡＸｆを中心にファン１を回転させるための動力を発生させる。ファンモータ２は、シャフト部材２ａを介して、ファン１を回転させる。
【００１３】
モータハウジング３は、ファンモータ２を保持する。モータハウジング３は、ファンモータ２が配置される内部空間を有する。ファンモータ２は、モータハウジング３に収容される。
【００１４】
保護カバー６は、ファン１の周囲に配置される。保護カバー６は、ファン１を包囲する。保護カバー６は、モータハウジング３に支持される。首振り駆動装置２６の作動により、ファン１、ファンモータ２、モータハウジング３及び保護カバー６は、一緒に移動する。
【００１５】
支持部材２２は、ファンモータ２に接続され、送風機部８を支持するシャフト部材２ａと、モータハウジング３を支持する支柱４と、支柱４を支持する台座部５とを含む。
【００１６】
支柱４は、モータハウジング３の下部に接続される。支柱４は、モータハウジング３を上下方向に移動可能に支持する。支柱４は、回転軸ＡＸ２を中心にモータハウジング３を回転可能に支持する。
【００１７】
台座部５は、支柱４の下部に接続される。台座部５は、回転軸ＡＸ１を中心に回転可能に支柱４を支持する。回転軸ＡＸ１と回転軸ＡＸ２とは直交する。
【００１８】
台座部５は、床面、壁面又は天井面といった支持面に設置される。水平な支持面の上に台座部５が設置された状態では、回転軸ＡＸ１は、水平面と直交する。水平な支持面の上に台座部５が設置された状態では、回転軸ＡＸ２は、水平面と平行である。すなわち、水平な支持面の上に台座部５が設置された状態では、扇風機１００の左右方向は水平方向であり、扇風機１００の上下方向は鉛直方向である。
【００１９】
制御装置２５は、台座部５の内部に配置される。制御装置２５は、扇風機１００を制御する。制御装置２５は、ファンモータ２、縦首振りモータ７、及び横首振りモータ２９を制御するための制御信号を出力する。
【００２０】
首振り駆動装置２６は、送風機部８の首振り動作の動力を発生させる。送風機部８は、首振り動作の動作範囲において、往復する。送風機部８が往復することによって、ファン１も往復する。
【００２１】
首振り駆動装置２６は、送風機部８を左右方向に首振り動作させる第１のモータである横首振りモータ２９と、ファン１を上下方向に首振り動作させる第２のモータである縦首振りモータ７とを含む。
【００２２】
横首振りモータ２９は、送風機部８を左右方向に首振り動作させる動力を発生させる。横首振りモータ２９は、台座部５に配置される。横首振りモータ２９は、回転軸ＡＸ１を中心に支柱４を回転させる。回転軸ＡＸ１を中心に支柱４が回転することによって、支柱４に支持されている送風機部８は、支柱４と一緒に、回転軸ＡＸ１を中心に回転する。横首振りモータ２９は、正転及び逆転可能な回転体を含む。横首振りモータ２９の回転体が正転することによって、送風機部８は、右方向に移動する。横首振りモータ２９の回転体が逆転することによって、送風機部８は、左方向に移動する。右方向は、ファン１の左右方向の首振り動作の正方向である。左方向は、ファン１の左右方向の首振り動作の逆方向である。なお、左方向が正方向であり、右方向が逆方向でもよい。なお、左右方向は、扇風機１００を正面から見たときの左右方向である。
【００２３】
縦首振りモータ７は、送風機部８を上下方向に首振り動作させる動力を発生させる。縦首振りモータ７は、支柱４の上部に配置される。縦首振りモータ７は、回転軸ＡＸ２を中心にモータハウジング３を回転させる。縦首振りモータ７は、正転及び逆転可能な回転体を含む。縦首振りモータ７の回転体が正転することによって、送風機部８は、上方向に移動する。縦首振りモータ７の回転体が逆転することによって、送風機部８は、下方向に移動する。上方向は、ファン１の上下方向の首振り動作の正方向である。下方向は、ファン１の上下方向の首振り動作の逆方向である。なお、下方向が正方向であり、上方向が逆方向でもよい。
【００２４】
図３は、実施の形態１に係る扇風機の上面図である。支柱４が回転軸ＡＸ１を中心に回転すると、支柱４に支持されている送風機部８は、支柱４と一緒に回転軸ＡＸ１を中心に回転し、左右方向に移動する。支柱４が回転軸ＡＸ１を中心とする回転方向の正方向及び逆方向の両方向に回転することによって、送風機部８は、図３に示すように、左の端部Ｌと右の端部Ｒとの間で左右方向に首振り動作する。
【００２５】
また、モータハウジング３が回転軸ＡＸ２を中心とする正方向及び逆方向の両方向に回転することによって、送風機部８は、上下方向に首振り動作する。
【００２６】
操作装置２７は、本体操作装置２８と、リモートコントローラ９とを含む。
【００２７】
本体操作装置２８は、台座部５の上面に配置される。本体操作装置２８は、使用者によって操作される。図４は、実施の形態１に係る扇風機の本体操作装置を示す図である。図４に示すように、本体操作装置２８は、電源ボタン１０、風量下げボタン１１、風量上げボタン１２、縦首振りボタン１３、横首振りボタン１４、左右首振り範囲設定ボタン１５、上下首振り範囲設定ボタン１６、リセットボタン１７、右端部設定ボタン１８、左端部設定ボタン１９、上端部設定ボタン２０及び下端部設定ボタン２１を備える。本体操作装置２８は、使用者に操作されることによって、指令信号を生成する。本体操作装置２８が操作されることにより生成された指令信号は、制御装置２５に送信される。
【００２８】
リモートコントローラ９は、遠隔操作用のコントローラである。リモートコントローラ９は、使用者によって操作される。図５は、実施の形態１に係る扇風機のリモートコントローラの正面図である。リモートコントローラ９は、電源ボタン１０、風量下げボタン１１、風量上げボタン１２、縦首振りボタン１３、横首振りボタン１４、左右首振り範囲設定ボタン１５、上下首振り範囲設定ボタン１６、リセットボタン１７、右端部設定ボタン１８、左端部設定ボタン１９、上端部設定ボタン２０及び下端部設定ボタン２１を備える。リモートコントローラ９は、使用者に操作されることによって、指令信号を生成し、生成した指令信号を無線により制御装置２５に送信する。
【００２９】
図６は、実施の形態１に係る扇風機の機能ブロック図である。なお、図６においては図示を省略しているが、操作装置２７の各ボタンは指令生成部６０と接続されている。電源ボタン１０が押下されると、指令生成部６０は、ファンモータ２の作動と停止とを切り替えるための指令信号を生成する。電源ボタン１０が操作されることにより、ファンモータ２を作動するための指令信号、及びファンモータ２を停止するための指令信号が生成される。ファンモータ２を作動させるための指令信号が生成されると、制御装置２５は、ファンモータ２を作動させるための制御信号をファンモータ２へ出力する。ファンモータ２を停止させるための指令信号が生成されると、制御装置２５は、ファンモータ２を停止させるための制御信号をファンモータ２へ出力する。ファンモータ２は、作動させるための制御信号が入力されると作動する。ファンモータ２は、停止させるための制御信号が入力されると停止する。すなわち、運転停止状態で電源ボタン１０が押下されると、ファンモータ２が起動されて扇風機１００は運転状態になる。運転状態で電源ボタン１０が押下されると、ファンモータ２が停止し扇風機１００は運転停止状態になる。
【００３０】
風量下げボタン１１及び風量上げボタン１２が押下されると、指令生成部６０は、ファンモータ２の出力を調整して、ファン１が単位時間当たりに移動させる空気量を調整するための指令信号を生成する。ファンモータ２の出力は、単位時間当たりのファンモータ２の回転体の回転速度を含む。風量下げボタン１１又は風量上げボタン１２が操作されることにより、ファンモータ２の出力を調整するための指令信号が生成される。ファンモータ２の出力を調整するための指令信号が生成されると、制御装置２５は、ファンモータ２の出力を調整するための制御信号をファンモータ２へ出力する。ファンモータ２の出力を調整するための制御信号が出力されると、ファンモータ２の出力が調整される。これにより、ファン１が単位時間当たりに移動させる空気量である風量が調整される。すなわち、運転状態で風量下げボタン１１が押下されると、ファンモータ２の回転速度が低下して、ファン１が発生させる気流の風量が減少する。運転状態で風量上げボタン１２が押下されると、ファンモータ２の回転速度が上昇して、ファン１が発生させる気流の風量が増大する。
【００３１】
縦首振りボタン１３及び横首振りボタン１４が押下されると、指令生成部６０は、首振り駆動装置２６の作動と停止とを切り替えて、送風機部８の首振り動作の実行と停止とを切り替えるための指令信号を生成する。縦首振りボタン１３又は横首振りボタン１４が操作されることにより、首振り駆動装置２６を作動するための指令信号、及び首振り駆動装置２６を停止するための指令信号が生成される。首振り駆動装置２６を作動するための指令信号が生成されると、制御装置２５は、首振り駆動装置２６を作動させるための制御信号を首振り駆動装置２６へ出力する。首振り駆動装置２６を停止するための指令信号が生成されると、制御装置２５は、首振り駆動装置２６を停止するための制御信号を首振り駆動装置２６へ出力する。首振り駆動装置２６は、作動させるための制御信号が入力されると作動する。首振り駆動装置２６は、停止させるための制御信号が出力されると停止する。
【００３２】
縦首振りボタン１３が押下されると、指令生成部６０は、縦首振りモータ７の作動と停止とを切り替えて、上下方向の送風機部８の首振り動作の実行と停止とを切り替えるための指令信号を生成する。縦首振りボタン１３が操作されることにより、縦首振りモータ７を作動させるための指令信号、及び縦首振りモータ７を停止させるための指令信号が生成される。縦首振りモータ７を作動させるための指令信号が生成されると、制御装置２５は、縦首振りモータ７を作動させるための制御信号を縦首振りモータ７に出力する。縦首振りモータ７を停止させるための指令信号が生成されると、制御装置２５は、縦首振りモータ７を停止するための制御信号を縦首振りモータ７へ出力する。縦首振りモータ７は、作動させるための制御信号が入力されると作動する。縦首振りモータ７は、停止させるための制御信号が入力されると停止する。
【００３３】
横首振りボタン１４が押下されると、指令生成部６０は、横首振りモータ２９の作動と停止とを切り替えて、左右方向の送風機部８の往復の実行と停止とを切り替えるための指令信号を生成する。横首振りボタン１４が操作されることにより、横首振りモータ２９を作動するための指令信号、及び横首振りモータ２９を停止するための指令信号が生成される。横首振りモータ２９を作動するための指令信号が生成されると、制御装置２５は、横首振りモータ２９を作動させるための制御信号を横首振りモータ２９に出力する。横首振りモータ２９を停止させるための指令信号が生成されると、制御装置２５は、横首振りモータ２９を停止させるための制御信号を横首振りモータ２９に出力する。横首振りモータ２９は、作動させるための制御信号が入力されると作動する。横首振りモータ２９は、停止させるための制御信号が入力されると停止する。
【００３４】
このように、運転中かつ首振り動作の停止中に縦首振りボタン１３又は横首振りボタン１４が押下されると、記憶部３４に予め登録されている動作範囲内での首振り動作を開始する。首振り動作の動作範囲は、記憶部３４に二つ以上登録可能であってもよい。首振り動作の動作範囲が記憶部３４に複数登録されている場合には、縦首振りボタン１３又は横首振りボタン１４が押下されるたびに首振り動作の動作範囲が順次切り替わる。順序の最後尾の動作範囲での首振り動作中に縦首振りボタン１３又は横首振りボタン１４が押下されると、首振り動作が停止する。なお、首振り動作の動作範囲の登録数に特段の制約はない。
【００３５】
左右首振り範囲設定ボタン１５が押下されると、指令生成部６０は、送風機部８の左右方向の首振り動作の動作範囲を設定するための指令信号を生成する。送風機部８の左右方向の首振り動作の動作範囲を設定するための指令信号が生成されると、制御装置２５は、首振り駆動装置２６を制御するための制御信号を首振り駆動装置２６に出力する。
【００３６】
上下首振り範囲設定ボタン１６が押下されると、指令生成部６０は、送風機部８の上下方向の首振り動作の動作範囲を設定するための指令信号を生成する。送風機部８の上下方向の首振り動作の動作範囲を設定するための指令信号が生成されると、制御装置２５は、首振り駆動装置２６を制御するための制御信号を首振り駆動装置２６に出力する。
【００３７】
左右首振り範囲設定ボタン１５又は上下首振り範囲設定ボタン１６が押下されると、首振り範囲の設定待機状態となる。設定待機状態において、上下左右いずれかの端部設定ボタンを押すと、首振り範囲を設定することができる。以下、左右方向の首振り動作を例に動作範囲の設定を詳細に説明する。なお、左右首振り範囲設定ボタン１５及び上下首振り範囲設定ボタン１６は、首振り動作中であっても押下が受け付けられる。また、左右首振り範囲設定ボタン１５及び上下首振り範囲設定ボタン１６は、扇風機１００が首振り停止状態であっても押下が受け付けられる。
【００３８】
右端部設定ボタン１８が押下されると、指令生成部６０は、送風機部８の首振り動作の動作範囲の右端を設定する指令信号を生成する。左端部設定ボタン１９が押下されると、指令生成部６０は、送風機部８の首振り動作の動作範囲の左端を設定する指令信号を生成する。上端部設定ボタン２０が押下されると、指令生成部６０は、送風機部８の首振り動作の動作範囲の上端を設定する指令信号を生成する。下端部設定ボタン２１が押下されると、指令生成部６０は、送風機部８の首振り動作の動作範囲の下端を設定する指令信号を生成する。
【００３９】
図６に示すように、制御装置２５は、操作装置２７が操作されることにより生成された指令信号を取得する取得部３０と、送風機部８の首振り動作の動作範囲を設定する動作範囲設定部３６と、動作範囲内で送風機部８の首振り動作を行わせる制御信号を首振り駆動装置２６に出力する制御部３７と、使用者が設定した首振り動作の動作範囲及び首振り動作の既定の動作範囲を記憶する記憶部３４とを備えている。
【００４０】
取得部３０は、操作装置２７が操作されることにより生成された指令信号を操作装置２７から取得する。取得部３０は、操作装置２７からの指令信号を受け付ける。取得部３０は、風量下げボタン１１又は風量上げボタン１２が操作されることにより生成された指令信号を取得する。取得部３０は、電源ボタン１０が操作されることにより生成された指令信号を取得する。取得部３０は、右端部設定ボタン１８、左端部設定ボタン１９、上端部設定ボタン２０又は下端部設定ボタン２１が操作されることにより生成された指令信号を取得する。取得部３０は、左右首振り範囲設定ボタン１５又は上下首振り範囲設定ボタン１６が操作されることにより生成された指令信号を取得する。
【００４１】
動作範囲設定部３６は、左右首振り範囲設定ボタン１５又は上下首振り範囲設定ボタン１６が操作されることにより生成され、取得部３０に取得された指令信号に基づいて、送風機部８の首振り動作の動作範囲の設定を待機する。
【００４２】
動作範囲設定部３６は、左右首振り範囲設定ボタン１５が操作されることにより生成され、取得部３０に取得された指令信号に基づいて、左右方向の送風機部８の首振り動作の動作範囲の設定を待機する。
【００４３】
動作範囲設定部３６は、上下首振り範囲設定ボタン１６が操作されることにより生成され、取得部３０に取得された指令信号に基づいて、上下方向の送風機部８の首振り動作の動作範囲の設定を待機する。
【００４４】
動作範囲設定部３６は、首振り動作の動作範囲の設定待機中に右端部設定ボタン１８、左端部設定ボタン１９、上端部設定ボタン２０又は下端部設定ボタン２１が操作されることにより生成され、取得部３０に取得された指令信号に基づいて、送風機部８の首振り動作の動作範囲の右端、左端、上端又は下端を設定する。
【００４５】
制御部３７は、ファンモータ２を制御する制御信号をファンモータ２に出力可能である。制御部３７は、首振り駆動装置２６の縦首振りモータ７を制御する制御信号を縦首振りモータ７に出力可能である。制御部３７は、首振り駆動装置２６の横首振りモータ２９を制御する制御信号を横首振りモータ２９に出力可能である。
【００４６】
制御部３７は、風量下げボタン１１、風量上げボタン１２又は電源ボタン１０が操作されることにより生成され、取得部３０に取得された指令信号に基づいて、制御信号を生成する。制御部３７は、風量下げボタン１１、風量上げボタン１２又は電源ボタン１０からの指令信号に基づいて生成した制御信号をファンモータ２に出力する。
【００４７】
制御部３７は、動作範囲設定部３６で設定された動作範囲で首振り動作を行わせる制御信号を、縦首振りモータ７及び横首振りモータ２９の少なくとも一方を含む首振り駆動装置２６に出力する。
【００４８】
制御部３７は、動作範囲設定部３６で設定された左右方向の動作範囲で送風機部８の首振り動作を行わせる制御信号を横首振りモータ２９に出力する。
【００４９】
制御部３７は、動作範囲設定部３６で設定された上下方向の動作範囲で送風機部８の首振り動作を行わせる制御信号を縦首振りモータ７に出力する。
【００５０】
実施の形態１に係る扇風機１００の動作について説明する。首振り停止状態において左右首振り範囲設定ボタン１５が押下されると、扇風機１００は首振り動作を開始し、首振り動作の動作範囲の設定待機状態となる。左右首振り範囲設定ボタン１５が押下された時の首振り方向は左右どちらでも良い。また首振り動作中に左右首振り範囲設定ボタン１５が押下されると、扇風機１００は首振り動作を継続し、首振り動作の動作範囲の設定待機状態となる。設定待機状態において、右端部設定ボタン１８又は左端部設定ボタン１９が押下されると、ボタンが押下された時点での送風機部８の位置が首振り範囲の左の端部又は右の端部に設定される。その後、もう一方の端部について同様に設定することで、使用者が設定した左右の端部の間の範囲で首振り動作が行われる。
【００５１】
実施の形態１に係る扇風機１００において、制御装置２５は、操作装置２７が首振り動作の動作範囲の設定の開始の指示を受け付けると首振り駆動装置２６に送風機部８の首振り動作を行わせ、首振り動作の動作方向によらず、右端部設定ボタン１８、左端部設定ボタン１９、上端部設定ボタン２０又は下端部設定ボタン２１によって受け付けられた首振り動作の動作範囲の端部を設定する。すなわち、実施の形態１に係る扇風機１００は、首振り動作の動作範囲の端部を設定するボタンが首振り動作の動作方向ごとに操作装置２７に設けられているため、首振り動作の動作範囲の端部を設定する際にどの方向の端部にするかを使用者が選択できる。
【００５２】
実施の形態１に係る扇風機１００において、使用者が設定した首振り動作の動作範囲は記憶部３４に記憶されており、再び左右首振り範囲設定ボタン１５又は上下首振り範囲設定ボタン１６が押下された場合、若しくは首振り動作停止状態中に縦首振りボタン１３又は横首振りボタン１４が押下された場合、制御装置２５は、使用者が設定した動作範囲で首振り駆動装置２６に首振り動作を行わせる。なお首振り動作の動作範囲を新しく設定する場合は、リセットボタン１７を押すか扇風機１００の電源コードをコンセントから抜いて電源を切れば良い。
【００５３】
実施の形態１に係る扇風機１００は、使用者が設定した首振り動作の動作範囲を記憶部３４に記憶しているため、再度同じ首振り動作の動作範囲で首振り動作を行いたい場合でも、首振り動作の動作範囲の設定作業を省略することができる。
【００５４】
実施の形態１に係る扇風機１００は、使用者が設定した首振り範囲での首振り動作中にリセットボタン１７が押下されると、使用者が設定した首振り範囲がリセットされる。首振り範囲がリセットされ首振り動作が停止している状態にて縦首振りボタン１３又は横首振りボタン１４が１度押下されると既定の動作範囲での首振り動作を行う。使用者が設定した首振り動作の動作範囲が記憶されている状態では、首振り動作が停止している状態にて縦首振りボタン１３又は横首振りボタン１４が１度押下されると、既定の動作範囲での首振り動作ではなく使用者が設定した首振り動作の動作範囲での首振り動作を行い、既定の動作範囲での首振り動作は上書きされ指定不可となる。さらに続けて縦首振りボタン１３又は横首振りボタン１４が押下されると、別の既定の動作範囲での首振り動作を行う。
【００５５】
実施の形態１に係る扇風機１００では、操作装置２７は、使用者が設定した首振り動作の動作範囲をリセットするリセットボタン１７を有し、制御装置２５は、使用者が設定した動作範囲での首振り動作中にリセットボタン１７が押下されると、予め定められた既定の動作範囲での首振り動作を首振り駆動装置２６に行わせる。したがって、実施の形態１に係る扇風機１００は、使用者が首振り動作の動作範囲を設定していない場合でも、既定の動作範囲での首振り動作が可能であるため、使用者により多機能な扇風機を提供することができる。
【００５６】
実施の形態２．
本発明の実施の形態２に係る扇風機１００の構成は、実施の形態１と同様である。実施の形態２に係る扇風機１００において、制御装置２５は、首振り動作の動作範囲の設定待機状態において、首振りの動作方向の後方の端部設定ボタンが押下された場合は、首振り動作の方向を変更せず、首振りの動作方向の前方の端部設定ボタンが押下された場合は、首振り動作の動作方向を反転させる。例えば、実施の形態２に係る扇風機１００は、左方向に首振り動作中に右端部設定ボタン１８が押下された場合は、首振り動作の動作範囲の右の端部を設定した後も引続き同じ左方向へ首振り動作する。反対に、左方向に首振り動作中に左端部設定ボタン１９が押下された場合は、首振り動作の動作範囲の左の端部を設定した後に首振り動作の動作方向を反転し、右方向へ首振り動作する。
【００５７】
実施の形態２に係る扇風機１００は、首振り動作の動作範囲の設定時に、首振り動作の動作方向の前方の端部を設定したら首振り動作の動作方向を反転させるため、首振り動作の動作範囲の設定に要する時間を短縮することができる。また首振り動作の一端部と他端部との位置関係が入れ替わってしまうことがないため、使用者は混乱することなく首振り動作の動作範囲を設定できる。
【００５８】
実施の形態３．
本発明の実施の形態３に係る扇風機１００の構成は、実施の形態１と同様である。実施の形態３に係る扇風機１００において、制御装置２５は、首振り動作の動作範囲の設定待機状態で一方の端部が設定され、その後他方の端部が設定されないまま首振り構造上の端に到達した場合は、首振り動作の動作方向を反転させ、最初に設定した端部の位置まで到達したら再度首振り動作の動作方向を反転させる。首振り動作の動作方向を反転した後、他方の端部を設定するまでは先に設定した一方の端部で首振り動作の動作方向を反転させる。すなわち、実施の形態３に係る扇風機１００は、首振り動作の動作範囲の設定待機状態中には、最初に設定した端部の位置を通り過ぎないように首振り動作を行う。
【００５９】
実施の形態３に係る扇風機１００は、首振り動作の動作範囲の設定待機状態中には、最初に設定した端部の位置を通り過ぎないように首振り動作を行うため、他方の端部を設定し忘れても最初の端部の位置を記憶しその位置で首振り動作の動作方向が反転するため任意の首振り角度を適切に行うことができる。
【００６０】
実施の形態４．
本発明の実施の形態４に係る扇風機１００の構成は、実施の形態１と同様である。実施の形態４に係る扇風機１００において、制御装置２５は、首振り動作の動作範囲の設定待機状態において、首振り速度を通常の首振り動作時よりも速くする。首振り動作の動作範囲が設定されると、制御装置２５は、首振り速度を通常の首振り動作時と同じにする。
【００６１】
実施の形態４に係る扇風機１００は、首振り動作の動作範囲の設定待機状態において、首振り速度を通常の首振り動作時よりも速くするため、首振り動作の動作範囲の設定に要する時間を短縮することができる。
【００６２】
実施の形態５．
本発明の実施の形態５に係る扇風機１００の構成は、実施の形態１と同様である。実施の形態５に係る扇風機１００において、制御装置２５は、左右首振り範囲設定ボタン１５又は上下首振り範囲設定ボタン１６が操作されて首振り動作の動作範囲の設定待機状態に移行した時に、首振り駆動装置２６の構造上の首振り動作の動作範囲の端部において折り返すように、首振り駆動装置２６に首振り動作を行わせる。制御装置２５は、首振り動作の動作範囲の設定時の首振り動作を、最大首振り角度で首振り駆動装置２６に開始させる。
【００６３】
実施の形態５に係る扇風機１００は、構造上の首振り動作の動作範囲よりも狭い範囲で首振り動作を実行中であっても、左右首振り範囲設定ボタン１５又は上下首振り範囲設定ボタン１６が操作されて首振り動作の動作範囲の設定待機状態になった場合には、構造上の首振り動作の動作範囲の端部で首振り動作を折り返す。このため、使用者は、実行中の首振り動作の動作範囲外に首振り動作の動作範囲の端部を設定することができる。
【００６４】
実施の形態６．
図７は、本発明の実施の形態６に係る扇風機のリモートコントローラの正面図である。実施の形態６に係る扇風機１００のリモートコントローラ９は、電源ボタン１０、風量下げボタン１１、風量上げボタン１２、縦首振りボタン１３、横首振りボタン１４、左右首振り範囲設定ボタン１５、上下首振り範囲設定ボタン１６及びリセットボタン１７を備える。
【００６５】
実施の形態６に係る扇風機１００は、左の端部又は下の端部の設定機能が風量下げボタン１１に割り当てられ、右の端部又は上の端部の設定機能が風量上げボタン１２に割り当てられている。すなわち、実施の形態６に係る扇風機１００では、風量下げボタン１１は、左端部設定ボタン１９及び下端部設定ボタン２１を兼ねており、風量上げボタン１２は、右端部設定ボタン１８及び上端部設定ボタン２０を兼ねている。首振り動作の動作範囲の設定待機状態でない場合は、制御装置２５は、風量下げボタン１１又は風量上げボタン１２が押下されると風量を調節する。一方で、首振り動作の動作範囲の設定待機状態で風量下げボタン１１又は風量上げボタン１２が押下されると、制御装置２５は、ボタンに割り当てられた首振り動作の動作範囲の端部を設定する。首振り動作の動作範囲の設定待機状態では、制御装置２５は、首振り動作の動作範囲の設定時の風量下げボタン１１の押下を左端部設定ボタン１９又は下端部設定ボタン２１の押下として受け付け、首振り動作の動作範囲の設定時の風量上げボタン１２の押下を右端部設定ボタン１８又は上端部設定ボタン２０の押下として受け付ける。
【００６６】
実施の形態６に係る扇風機１００は、風量下げボタン１１及び風量上げボタン１２に首振り動作の動作範囲の端部の設定機能を割り当てているため、リモートコントローラ９のボタン数を低減できる。したがって、実施の形態６に係る扇風機１００は、リモートコントローラ９の小型化及び低コスト化が可能である。
【００６７】
なお、ここではリモートコントローラ９について説明したが、本体操作装置２８についても、風量下げボタン１１及び風量上げボタン１２に首振り動作の動作範囲の端部の設定機能を割り当てることで、ボタン数を低減し、台座部５の小型化が可能である。
【００６８】
上記の実施の形態１から実施の形態６に係る扇風機１００の制御装置２５の機能は、処理回路により実現される。処理回路は、専用のハードウェアであっても、記憶装置に格納されるプログラムを実行する処理装置であってもよい。制御装置２５には、マイクロコントローラを適用可能であるが、これに限定されない。
【００６９】
処理回路が専用のハードウェアである場合、処理回路は、単一回路、複合回路、プログラム化したプロセッサ、並列プログラム化したプロセッサ、特定用途向け集積回路、フィールドプログラマブルゲートアレイ、又はこれらを組み合わせたものが該当する。図８は、実施の形態１から実施の形態６に係る扇風機の制御装置の機能をハードウェアで実現した構成を示す図である。処理回路３９には、制御装置２５の機能を実現する論理回路３９ａが組み込まれている。
【００７０】
処理回路３９が処理装置の場合、制御装置２５の機能は、ソフトウェア、ファームウェア、又はソフトウェアとファームウェアとの組み合わせにより実現される。
【００７１】
図９は、実施の形態１から実施の形態６に係る扇風機の制御装置の機能をソフトウェアで実現した構成を示す図である。処理回路３９は、プログラム３９ｂを実行するプロセッサ３９１と、プロセッサ３９１がワークエリアに用いるランダムアクセスメモリ３９２と、プログラム３９ｂを記憶する記憶装置３９３を有する。記憶装置３９３に記憶されているプログラム３９ｂをプロセッサ３９１がランダムアクセスメモリ３９２上に展開し、実行することにより、制御装置２５の機能が実現される。ソフトウェア又はファームウェアはプログラム言語で記述され、記憶装置３９３に格納される。プロセッサ３９１は、中央処理装置を例示できるがこれに限定はされない。記憶装置３９３は、ＲＡＭ（Random  Access  Memory）、ＲＯＭ（Read  Only  Memory）、フラッシュメモリ、ＥＰＲＯＭ（Erasable  Programmable  Read  Only  Memory）、又はＥＥＰＲＯＭ（登録商標）（Electrically  Erasable  Programmable  Read  Only  Memory）といった半導体メモリを適用できる。半導体メモリは、不揮発性メモリでもよいし揮発性メモリでもよい。また記憶装置３９３は、半導体メモリ以外にも、磁気ディスク、フレキシブルディスク、光ディスク、コンパクトディスク、ミニディスク又はＤＶＤ（Digital  Versatile  Disc）を適用できる。なお、プロセッサ３９１は、演算結果といったデータを記憶装置３９３に出力して記憶させてもよいし、ランダムアクセスメモリ３９２を介して不図示の補助記憶装置に当該データを記憶させてもよい。
【００７２】
処理回路３９は、記憶装置３９３に記憶されたプログラム３９ｂを読み出して実行することにより、制御装置２５の機能を実現する。プログラム３９ｂは、制御装置２５の機能を実現する手順及び方法をコンピュータに実行させるものであるとも言える。
【００７３】
なお、処理回路３９は、制御装置２５の機能の一部を専用のハードウェアで実現し、制御装置２５の機能の一部をソフトウェア又はファームウェアで実現するようにしてもよい。
【００７４】
このように、処理回路３９は、ハードウェア、ソフトウェア、ファームウェア、又はこれらの組み合わせによって、上述の各機能を実現することができる。
【００７５】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００７６】
１  ファン、２  ファンモータ、２ａ  シャフト部材、３  モータハウジング、４  支柱、５  台座部、６  保護カバー、７  縦首振りモータ、８  送風機部、９  リモートコントローラ、１０  電源ボタン、１１  風量下げボタン、１２  風量上げボタン、１３  縦首振りボタン、１４  横首振りボタン、１５  左右首振り範囲設定ボタン、１６  上下首振り範囲設定ボタン、１７  リセットボタン、１８  右端部設定ボタン、１９  左端部設定ボタン、２０  上端部設定ボタン、２１  下端部設定ボタン、２２  支持部材、２５  制御装置、２６  首振り駆動装置、２７  操作装置、２８  本体操作装置、２９  横首振りモータ、３０  取得部、３４  記憶部、３６  動作範囲設定部、３７  制御部、３９  処理回路、３９ａ  論理回路、３９ｂ  プログラム、６０  指令生成部、１００  扇風機、３９１  プロセッサ、３９２  ランダムアクセスメモリ、３９３  記憶装置。
【図１】
2020193593.tif 000003
【図２】
2020193593.tif 000004
【図３】
2020193593.tif 000005
【図４】
2020193593.tif 000006
【図５】
2020193593.tif 000007
【図６】
2020193593.tif 000008
【図７】
2020193593.tif 000009
【図８】
2020193593.tif 000010
【図９】
2020193593.tif 000011